(57)【特許請求の範囲】
【請求項１】
圧縮機と、この圧縮機の胴部に隣接してその胴部と平行に配置されると共にその胴部に支持された円筒状のアキュームレータと、このアキュームレータの下端部と前記圧縮機の吸込口とを接続する冷媒配管と、一端部が前記アキュームレータの上端部に接続されると共に他端部が四方弁に接続されるサクションパイプとを備え、
前記サクションパイプは、前記アキュームレータの上端部から上方へ延びる部分と、その上方へ延びる部分から曲がり前記アキュームレータ及び圧縮機の胴部に隣接させて垂直方向となるように下方へ延びる部分とを有し、
前記サクションパイプにおける垂直方向となるように下方へ延びた部分は、厚みを持った緩衝性のスペーサを介して前記アキュームレータに固定されており、
前記スペーサは、サクションパイプを挿通する孔と、前記アキュームレータに突き当てる当て部とを有してなることを特徴とする空気調和装置。
【発明の詳細な説明】
【０００１】
【発明の属する技術分野】
空気調和装置の室外ユニット内に配設された圧縮機の運転による冷媒配管の振動の吸収に関する。
【０００２】
【従来の技術】
これまで、空気調和装置における室外ユニットの機械室内には、アキュームレータを取り付けた圧縮機を始めとして、四方弁や、電動弁などの冷媒回路部品を冷媒配管で接続して、前記機械室内へ載置して内蔵し、このアキュームレータを取り付けた圧縮機の運転により発生する振動は、前記圧縮機の垂直方向に延びる中心軸を中心とした回転方向の振動で、この圧縮機の上端部から延びた吐出管側より、この圧縮機の胴部に前記圧縮機の胴部と平行に取り付けられた前記アキュームレータの上端部より延びたサクションパイプ側の振動が大きいため、前記サクションパイプを複雑な配管形状として引き回すことにより、この振動を吸収させていた。
【０００３】
【発明が解決しようとする課題】
しかし、前記サクションパイプを複雑な配管形状としても前記機械室内の限られた空間へ収めなければならず、また、組立てや、メンテナンスの作業性を考慮すると、なるべく簡素化した配管形状とする必要があった。
【０００４】
そこで、本発明の目的は、圧縮機に取り付けられたアキュームレータから延びるサクションパイプの配管形状をなるべく簡素化するとともに、前記圧縮機からの振動を前記サクションパイプ全体で吸収させ、室外ユニットへの振動の伝達を抑えることが可能な空気調和装置を提供することにある。
【０００５】
【課題を解決するための手段】
請求項１に記載の発明は、圧縮機と、この圧縮機の胴部に隣接してその胴部と平行に配置されると共にその胴部に支持された円筒状のアキュームレータと、このアキュームレータの下端部と前記圧縮機の吸込口とを接続する冷媒配管と、一端部が前記アキュームレータの上端部に接続されると共に他端部が四方弁に接続されるサクションパイプとを備え、前記サクションパイプは、前記アキュームレータの上端部から上方へ延びる部分と、その上方へ延びる部分から曲がり前記アキュームレータ及び圧縮機の胴部に隣接させて垂直方向となるように下方へ延びる部分とを有し、前記サクションパイプにおける垂直方向となるように下方へ延びた部分は、厚みを持った緩衝性のスペーサを介して前記アキュームレータに固定されており、前記スペーサは、サクションパイプを挿通する孔と、前記アキュームレータに突き当てる当て部とを有してなることを特徴とするものである。
【０００６】
【０００７】
【０００８】
【発明の実施形態】
以下、本発明の一実施形態について、図１から図３を参照して説明する。
【０００９】
図１は、室外ユニットの構成を示した概略図で、その筐体については、前面と天面を覆う外装ケース２と、両側面と背面を覆う外装ケース３と、底面板４で構成されており、外装ケース２の前面には、熱交換を行った空気を排出する排出口１０が設けられ、この排出口１０には、その奥の熱交換器室７へ石などの障害物が侵入し、回転する室外送風機２０を破損しないためと、誤って指などを入れ怪我などの事故に至らない様に、吹出しグリル１１が設けられている。
【００１０】
そして、外装ケース３の左側面には、この室外ユニット１を運搬あるいは、据付け作業を行う時の取っ手１２が設けられ、右側面には、底面板４に固定された室内ユニットへ冷媒配管を接続するバルブ１８を固定する配管板１７を露出させるための切り欠き１３と、室内ユニットからの電源および、通信配線を室外制御部９の端子板２９へ接続するための配線口１４が設けられ、背面には、熱交換器室７へ大気を通風させる開口１５が設けられている。
【００１１】
また、底面板４には、その下面に、この室外ユニット１の据付けの支持となる台座１６が、底面板４の長手方向の両端付近で、この方向と直交する方向に向けて設けられ、上面は、室外ユニット１の熱交換器室７と、機械室８と、その機械室８の上の室外制御部９との各部品を載置して、これらを支持し、右側縁部には、室内ユニットへ冷媒配管を接続するためのバルブ１８を固定する配管板１７が設けられている。
【００１２】
そして、室外ユニット１の内部は、垂直方向に延びる仕切板５で、熱交換器室７と、機械室８とに分割され、一方の熱交換器室７には、室外送風機２０と、一端を底面板４上に固定され、他端を室外熱交換器１９に掛止された室外送風機２０を支持する室外送風機アングル２１と、室外熱交換器１９とが、底面板４上に載置されて内蔵され、他方の機械室８には、圧縮機２２と、アキュームレータ２３と、四方弁２４と、電動弁２５と、キャピラリチューブ２６とが、サクションパイプ３３や、冷媒配管で接続されて底面板４上に載置されて内蔵され、電源部品のリアクタ２７も仕切板５の上部に固定されて内蔵されている。
【００１３】
そして、機械室８の上部には、上下仕切板６が、この機械室の天面を覆う様に取り付けられ、この上下仕切板６上には、室外ユニット１の運転制御や、室内ユニットとの通信を行う室外電装箱２８と、室内ユニットからの電源および、通信配線を接続する端子板２９と、ヒューズ３１と、この上下仕切板６の下に位置する機械室８への配線を中継するコネクタ３０が設けられて、室外制御部９を構成している。
【００１４】
次に、図２を参照して、図２は、室外ユニット１の機械室８について示した概略図であるが、まず、圧縮機２２が、機械室８における仕切板５寄りの前面側の位置へ防振材３４を介して載置され、この圧縮機２２の前記仕切板５とは反対側で、やや前面側の胴部に溶接されたアングル３５へ、アキュームレータ２３が固定されて、このアキュームレータ２３の下端部から圧縮機２２の吸込み口へ冷媒配管が接続されている。
【００１５】
そして、四方弁２４や、電動弁２５などの冷媒配管部品および、冷媒配管は、このアキュームレータ２３の後方にまとめて配設され、これに接続されるサクションパイプ３３は、前記アキュームレータ２３の上端部から上方へ延びて曲がり、圧縮機２２とアキュームレータ２３との手前を垂直方向に下方へ延び、前記アキュームレータ２３の下を延在して、アキュームレータ２３の後方で上方へ曲げて延ばし、機械室８の奥側の仕切板５に取り付けられた四方弁２４へ接続する概ねUの字状の形状として簡素化している。
【００１６】
また、吐出管３６は、圧縮機２２の上端部から奥へ向けて曲がり、垂直方向に下方へ延び、圧縮機２２の後方でＵの字形に曲がり、圧縮機２２の上端部付近で、一旦、横方向へ曲がって、前記四方弁２４に接続されている。
【００１７】
ここで、圧縮機２２が運転すると、圧縮機２２の中心軸を中心とした回転方向の振動が発生するが、吐出管３６の様に、圧縮機２２の天面のほぼ中心から延びている場合は、その振動が小さく、圧縮機２２よりも上方位置の吐出管３６のねじれと、圧縮機２２の後部に設けられたＵの字型の曲がりとで、十分この振動を吸収してしまうことが可能である。
【００１８】
これに対し、アキュームレータ２３から延びたサクションパイプ３３については、圧縮機２２が回転方向に振動すると、この圧縮機２２の胴部側面に固定されたアキュームレータ２３は、当然のことながら、圧縮機２２の中心軸を中心とした円弧を描いて振動し、このアキュームレータ２３から延びたサクションパイプ３３も、同様に円弧を描く様な振動を受けるため、上記の様に、概ねUの字状の形状として、室外ユニット１への振動を吸収させているが、上記アキュームレータ２３の上端部から垂直方向に下方に延びている部分に振動が集中してしまう。そのため、図２に示すように、下方へ向かって延びるサクションパイプ３３のほぼ中間部分と、アキュームレータ２３の胴部のほぼ中間部分にスペーサ３２を取り付け、クランパ３７によって固定することにより、この部分に集中する振動を、サクションパイプ３３の全体に分散させて吸収する。
【００１９】
このスペーサ３２は、成形されたゴムやウレタンなどの緩衝性を持った防振材で、図３に示す様に、その形状は、厚みを持った略三角形とし、１つの角を凸の円弧とし、その凸の円弧付近にサクションパイプ３３を挿通させる孔３８を設けて、この孔３８から前記凸の円弧へ向けて切れ込み３９を設け、この凸の円弧と対向する一辺をアキュームレータ２３の径に合わせて、凹の円弧に切り落とした形状の当て部４０とし、その側面には、サクションパイプ３３のアキュームレータ２３への固定の際、クランパ３７を通す溝４１が設けられている。
【００２０】
そして、このスペーサ３２は、切れ込み３９を開いて、アクションパイプ３３を孔３８に取り付け、当て部４０をアキュームレータ２３のほぼ中間に当て、クランパ３７でアキュームレータ２３とサクションパイプ３３を取り付けたスペーサ３２とを囲う様にして固定され、このスペーサ３２上では、クランパ３７は、溝４１を通される。
【００２１】
なお、アキュームレータ２３の上端部から折り返して垂直方向に下方へ延びるサクションパイプ３３は、その途中がアキュームレータ２３に固定されることにより、サクションパイプ３３自体の振動を抑えられるとともに、この冷媒配管の剛性も上がるため、この部分での振動は、サクションパイプ３３の全体へ分散されるようになる。
【００２２】
この様に、サクションパイプ３３の形状をなるべく簡素化した形状として、このサクションパイプ３３を、緩衝性を持ったスペーサ３２を介してアキュームレータ２３に固定することにより、圧縮機２２からの振動を、サクションパイプ３３の全体に分散させて吸収し、室外ユニット１への振動の伝達を抑えている。
【００２３】
【発明の効果】
本発明は以上の説明から明らかにように、一端部が前記アキュームレータの上端部に接続されると共に他端部が四方弁に接続されるサクションパイプは、前記アキュームレータの上端部から上方へ延びる部分と、その上方へ延びる部分から曲がり前記アキュームレータ及び圧縮機の胴部に隣接させて垂直方向となるように下方へ延びる部分とを有し、前記サクションパイプにおける垂直方向となるように下方へ延びた部分は、厚みを持った緩衝性のスペーサを介して前記アキュームレータに固定されており、前記スペーサは、サクションパイプを挿通する孔と、前記アキュームレータに突き当てる当て部とを有してなる構成であるから、圧縮機に取り付けられたアキュームレータから延びるサクションパイプの配管形状を簡素化することができるとともに、前記圧縮機からの振動を前記サクションパイプ全体に分散させて吸収させることができ、室外ユニットへの振動の伝達を抑制できる。
【図面の簡単な説明】
【図１】  室外ユニットの構成を示した概略図である。
【図２】  室外ユニットの機械室について示した概略図である。
【図３】  本発明による緩衝性を持った成形品によるスペーサの概略図である。
【符号の説明】
１      室外ユニット
２      外装ケース
３      外装ケース
４      底面板
５      仕切板
６      上下仕切板
７      熱交換器室
８      機械室
９      室外制御部
１０      排出口
１１      吹出しグリル
１２      取っ手
１３      切り欠き
１４      配線口
１５      開口
１６      台座
１７      配管板
１８      バルブ
１９      室外熱交換器
２０      室外送風機
２１      室外送風機アングル
２２      圧縮機
２３      アキュームレータ
２４      四方弁
２５      電動弁
２６      キャピラリチューブ
２７      リアクタ
２８      室外電装箱
２９      端子板
３０      コネクタ
３１      ヒューズホルダ
３２      防振材
３３      サクションパイプ
３４      防振材
３５      アングル
３６      吐出管
３７      クランパ
３８      孔
３９      切れ込み
４０      当て部
４１      溝
【図１】
0003696150.tif 000002
【図２】
0003696150.tif 000003
【図３】
0003696150.tif 000004